(57)【要約】【課題】  ターンテーブルと光ピックアップを備えたメカ構造において、ターンテーブルを回転させるモータの振動が光ピックアップに伝播することを防止することができる光ディスク再生装置を提供する。【解決手段】  メカベースに孔部を設けて、部材の一部を該孔部を貫通させ、ディスクドライブのターンテーブルを回転駆動するモータを固定する部材に対向配設された先端部がスパイク形状の２組の突起体と孔部の内壁に接触する長さを調整された先端部がスパイク形状の突起体の３組の突起体によって部材を前記メカベースに前後方向および横方向に保持するようにした。【選択図】  図２
2006048849.tif 000002
【特許請求の範囲】
【請求項１】
ディスクドライブのターンテーブルを回転駆動するモータを固定する第１の部材に、前記モータとは反対側にシャフトと該シャフトの外方周囲に先端部がスパイク形状の複数の突起体が設けられ、そして先端部がスパイク形状の複数の長さ調整子が前記シャフトの側面側にねじ螺合されて側方に向けて設けられ、
第２の部材に、先端部がスパイク形状の複数の他の突起体が設けられ、
光ピックアップが固定されるメカベースに孔部が設けられ、
前記孔部の内壁に前記長さ調整子が接触し、かつ前記突起体の先端部がメカベースの表面に接触して、前記第1の部材のシャフトが前記孔部方向に、そして他の突起体の先端部が前記メカベースの他面に接触して、前記第２の部材が前記孔部を介して第１の部材に対向して設けられて前記第１の部材のシャフトに接続される構造を有することを特徴とする光ディスク再生装置。
【請求項２】
請求項１において、前記第２の部材は、前記シャフトに対向して小孔部が形成され、前記シャフトに雌ネジが形成され、前記第２の部材の外方から前記小孔部を介して前記雌ネジに向けて雄ネジを螺合することによって前記第２の部材を前記第１の部材のシャフトに接続することを特徴とする光ディスク再生装置。
【請求項３】
ディスクドライブのターンテーブルを回転駆動するモータを固定する部材を光ピックアップが固定される前記メカベースに先端部がスパイク形状の突起体によって保持する光ディスク再生装置において、
前記メカベースに孔部を設けて、前記部材の一部を該孔部を貫通させ、前記部材に対向配設された先端部がスパイク形状の２組の突起体と前記孔部の内壁に接触する長さを調整された先端部がスパイク形状の突起体の３組の突起体によって前記部材を前記メカベースに前後方向および横方向に保持するようにしたこと
を特徴とする光ディスク再生装置。
【請求項４】
請求項３において、前記部材は第１の部材と第２の部材からなり、螺合によって接近かつ接合可能とされ、前記第１の部材と前記第２の部材とは前記メカベースのそれぞれの側に配設され、それぞれに前記突起体が設けられていることを特徴とする光ディスク再生装置。
【請求項５】
請求項４において、前記第１の部材は前記メカベースの上側に配設され、横方向位置の調整がされる前記突起体は前記第１の部材に設けられることを特徴とする光ディスク再生装置。
【請求項６】
請求項５において、前記雄ネジと前記第２の部材との間に緩衝材をはさんだことを特徴とする光ディスク再生装置。
【発明の詳細な説明】
【技術分野】
【０００１】
本発明は、ＣＤプレーヤ，ＤＶＤプレーヤ等の光ディスク再生装置において、音質や映像クオリティの向上のためにスパイク構造を機器内部において構成する光ディスク再生装置に関する。
【背景技術】
【０００２】
現在特にオーディオ再生を行う場合、例えば機器を設置場所（オーディオラック等）に設置する際、設置面への高剛性での取付けや、楽音再生時のスピーカからの音圧による外的要因による振動を機器へ伝達しないことを目的に、振動の伝わるポイントとなる脚部を面接触でなく、点接触となるよう円錐形の形状である、いわゆるスパイクを設置面に突き当てて設置する方法が用いられている。この構造により、機器内外での振動の伝播を防止することにより音質の向上に対する効果がある。
【０００３】
例えば、特許文献1には、金属などの無垢材料からなる脚柱の底面の中央に凹陥部を形成し、該凹嵌部の空間に内包されるようにスパイク体の尖頭部を臨ませてなる支脚主体と、前記スパイク体の尖頭の軸心を支承するスタンドベースと、からなる機器筐体の支脚装置が記載されている。
【０００４】
【特許文献１】特開２００３−２６３８７４号公報
【発明の開示】
【発明が解決しようとする課題】
【０００５】
機器内部において前述したようなスパイクを用いた構成を行う際、スパイクにより独立して設置されるブロック（以下被スパイク部と記述）をシャーシ（部材）に設置した場合、このブロックが移動しなように固定する手段が必要となる。機器の外部で被スパイクを用いた構成の場合と異なり、機器の内部では、それぞれの部品を固定しないと、機器の輸送中や、機器を動かした際に各部品が脱落してしまう。
【０００６】
よって、スパイクを用いたポイントとは別の場所に被スパイク部を固定する手段を設けなければならないが、一般的にはネジを用いて固定することが行われる。しかしながら、被スパイク部と別の固定手段を設けることにより、機器内の別ブロックとスパイク点による接触以外にも接触するポイントが必然的に発生することになる。
【０００７】
このため、接触ポイントが被スパイクのみならず、ネジで固定した部方から振動が伝播してしまう。
【０００８】
また、ターンテーブルを回転させるモータと光ピックアップを備えた光ディスク再生メカにおいては、モータの回転による振動が光ピックアップに伝播し、光ピックアップが故障する原因となっていた。しかしながら、ターンテーブルを回転させるモータと光ピックアップとの位置ズレが生じないように正確に固定させておかなければ光ピックアップが光ディスクに記録されたデータを読み取ることができない。このため、モータと光ピックアップとの間にモータの振動を緩衝する弾性体などを介在させると、弾性体の撓みによりモータと光ピックアップとの距離が一定とならないためこのような弾性体を用いることができない。
【０００９】
本発明は、ターンテーブルと光ピックアップを備えたメカ構造において、ターンテーブルを回転させるモータの振動が光ピックアップに伝播することを防止することができる光ディスク再生装置を提供することを目的とする。
【課題を解決するための手段】
【００１０】
上記課題を解決するために、機器の内部で、ディスクドライブのターンテーブルを回転させるモータを固定する部材の裏面にシャフトを設けると共に、シャフトの周囲にスパイクを有するモータ固定部と、光ピックアップが固定されるメカベースと、上面にスパイクを有しメカベースに設けた孔を介してモータ固定部のシャフトに固定されモータ固定部の被スパイクとによりメカベースを挟持する構造であって、モータ固定部のシャフトにはメカベースの孔の内壁を支持するスパイクを備える突起部材がねじ構造により固定された光ディスク再生装置が構成される。
【００１１】
具体的には、本発明は、ディスクドライブのターンテーブルを回転駆動するモータを固定する部材を光ピックアップが固定される前記メカベースに先端部がスパイク形状の突起体によって保持する光ディスク再生装置において、前記メカベースに孔部を設けて、前記部材の一部を該孔部を貫通させ、前記部材に対向配設された先端部がスパイク形状の２組の突起体と前記孔部の内壁に接触する長さを調整された先端部がスパイク形状の突起体の３組の突起体によって前記部材を前記メカベースに前後方向および横方向に保持するようにした光ディスク再生装置を提供する。
【００１２】
更に本発明は、前記部材は第１の部材と第２の部材からなり、螺合によって接近かつ接合可能とされ、第１の部材と第２の部材とは前記メカベースのそれぞれの側に配設され、それぞれに前記突起体が設けられている光ディスク再生装置を提供する。
【００１３】
そして、第１の部材は前記メカベースの上側に配設され、横方向位置の調整がされる前記突起体は第１の部材に設けられる。
【００１４】
そして、前記雄ネジと前記第２の部材との間に緩衝材をはさむことで設けられる。
【発明の効果】
【００１５】
本発明の光ディスク再生装置により、ターンテーブルと光ピックアップを備えたメカ構造においてもターンテーブルを回転させるモータと光ピックアップとの間がスパイクのみによる接触とすることが可能となるので、ターンテーブルを回転させるモータの振動が光ピックアップに伝播することを防止することができる。
【００１６】
また、シャフトにネジ締めされた突起部材の締め付けを調整することで、モータと光ピックアップとの相関位置を変化させることができるので、メカベース製作時の寸法誤差によりモータの固定位置にズレが生じても、突起部材の締め付けの調節により簡単にモータの位置を微調整することができる。
【発明を実施するための最良の形態】
【００１７】
本発明の実施例は、ディスクドライブのターンテーブルを回転駆動するモータを固定する第１の部材に、前記モータとは反対側にシャフトと該シャフトの外方周囲に先端部がスパイク形状の複数の突起体が設けられ、そして先端部がスパイク形状の複数の長さ調整子が前記シャフトの側面側にねじ螺合されて側方に向けて設けられ、
第２の部材に、前記突起体に対向して先端部がスパイク形状の複数の他の突起体が設けられ、
光ピックアップが固定されるメカベースに孔部が設けられ、
前記孔部の内壁に前記長さ調整子が接触し、かつ前記突起体の先端部がメカベースの表面に接触して、第1の部材のシャフトが前記孔部方向に、そして他の突起体の先端部が前記メカベースの他面に接触して、第２の部材が前記孔部を介して第１の部材に対向して設けられて第１の部材のシャフトに接続される構造を有し、第２の部材は、前記シャフトに対向して小孔部が形成され、前記シャフトに雌ネジが形成され、第２の部材の外方から前記小孔部を介して前記雌ネジに向けて雄ネジを螺合することによって第２の部材を第１の部材のシャフトに接続する構造を有する光ディスク再生装置を構成する。
【実施例】
【００１８】
以下、本発明の実施例を図面に基づいて説明する。
【００１９】
図１は、本実施例である光ディスク再生装置の主要部についての組み立て方を示す斜視図であり、図２は図1の側面図であって、組み立て中の構成図であり、図３は図２のＡ部詳細図であり、図４は組み立てられた光ディスク再生装置の主要部の構成図であり、そして図５は光ディスク再生装置によって光ディスクを再生した状態を示す図である。これらの図は、筐体内に光ディスクのドライブメカニズムを有する光ディスク再生装置１を想定し、ここでは、光ディスクを再生するドライブメカニズム部にスパイク構造を用いる例を示す。
【００２０】
これらの図に示すように、メカベース２は筐体８の一部に固定され、駆動部３を載置し、駆動部３は光ピックアップ４を備える。光ピックアップ４に対向して光ディスク７が配設され、光ディスク７は、モータ１０によって回転駆動されるターンテーブル１１によって回転される。１２は、クランパを示す。
【００２１】
メカベース２は、薄い直方体を形成し、上下に貫通する孔部２１を備える。駆動部３は、光ピックアップ４をスライド可能に保持し、メカベース２の上面に固定されている。
【００２２】
このような構成において、モータ１０は、第１の部材５および第２の部材６からなる部材に固着される。第１の部材５及び第２の部材６はメカベース２を挟んで両側に配設され、メカベース２との間にそれぞれクリアランスが形成される。従って、第１の部材５及び第２の部材６はメカベース２から離間される。
【００２３】
第１の部材５は、薄い円盤形をなした板により構成され、下面の裏面部３３の略中央に下方へ突出する円柱状のシャフト２２を備える。シャフト２２の外周の中央部には３つの雌ネジ２４（２４Ａ，２４Ｂ，２４Ｃ）が設けてある。それぞれの雌ネジ２４は、シャフト２２の下端から同一の高さに配設される。
【００２４】
光ピックアップ４が固定されるメカベース２には、孔部２１が設けられる。孔部２１は内径とすることができ、この場合に孔部２１の直径は、２組の３つの突起体３１，４１で形成される円の直径より小さくされる。従って、図２に示すように第１の部材５および第２の部材６を孔部２１に矢印で示すように接近させると、突起体３１，４１のスパイラル形状の先端部はメカベース２の上面である表面部３４，下面である裏面部３５にそれぞれ到達するに至る。そして、本例の場合、シャフト２２は孔部２１を貫通し、先端部がメカベース２の下側まで達する。このようにして第１の部材５および第２の部材６からなる部材をメカベース２に組み立てた例が図４に示される。
【００２５】
図２−図４は、本実施例の光ディスク再生装置１の構成を示す図で、図２はモータ１０を固定した状態で第１の部材５及び第２の部材６をメカベース２に固定する様子を示す図で、図４はメカベース２に第１の部材５及び第２の部材６を固定した状態を示す図である。
【００２６】
図４において、長さ調整子２５は、突起体３１の先端部がメカベース２の表面部３４に当接した状態のとき、長さ調整子２５のスパイク形状の先端が孔２１の内壁３６に当接するように構成，配設される。長さ調整子２５の先端部は水平方向（横方向）を向き、ねじ込みによる螺合の調整によってそれぞれ内壁３６に当接し、部材の横方向の動きを防止することになる。このように、メカベース２へ第１の部材５及び第２の部材６を固定するには、図２に示すように、先ず、長さ調整子２５のネジ部２７を雌ネジ２４へねじ込み、シャフト２２の中心から長さ調整子２５に備えた突起２８の先端までの長さを孔２１の内径より小さくした状態にする。次に、シャフト２２をメカベース２の孔２１へ挿入し、雄ネジ４６の先端を緩衝材としての圧縮バネ４５及び第２の部材６の小孔部４４へ挿入した状態で第１の部材５の雌ネジ２３へ雄ネジ４６をねじ込む。雄ネジ４６を雌ネジ２３へねじ込むことにより、第２の部材６は、雄ネジ４６の頭部によって上方へ押し上げられた圧縮バネ４５によって上方へ押圧され、第１の部材５の突起体３１と第２の部材６の突起体４１がメカベース２を挟持した状態となる。次に、雌ネジ２４にねじ込まれたそれぞれの長さ調整子２５のネジ部２７を緩める方向へ回転させる。これにより、シャフト２２の中心からそれぞれの長さ調整子２５の突起２８の先端までの長さが大きくなり、突起２８の先端が孔２１の内壁３６へ当接した状態となる。
【００２７】
これにより、第１の部材５に固定されたモータ１０は、メカベース２へ固定された状態となる。このとき、モータ１０を固定した第１の部材５及び第２の部材６は、メカベース２の上面である表面部３４に当接した３つの突起体３１，メカベース２の下面である裏面部３５に当接した３つの突起体４１及び孔２１の内壁３６に当接した３つの突起２８によってメカベース２へ固定された状態となる。すなわち、スパイラル形状の先端によって固定された状態となる。
【００２８】
このようにして、メカベース２に孔部２１を設けて、部材の一部を孔部２１を貫通させ、この部材に対向配設された先端部がスパイク形状の２組の突起体３１，４１と孔部２１の内壁３６に接触する長さが調整された先端部がスパイク形状の突起体、すなわち突起２８の３組の突起体によって部材をメカベース２に前後方向および横方向に保持するようにした構造が構成される。
【００２９】
そして、前記部材は第１の部材５と第２の部材６からなり、螺合によって接近かつ接合可能とされ、第１の部材５と第２の部材６とはメカベース２のそれぞれの側に配設され、それぞれに前記突起体３１，４１が設けられている構造が構成される。
【００３０】
更に、第１の部材５はメカベース２の上側に配設され、横方向位置の調整される前記突起２８は第１の部材５に設けられる構造が構成される。
【００３１】
更には、ディスクドライブのターンテーブル１１を回転駆動するモータ１０を固定する第１の部材５に、モータ１０とは反対側にシャフト２２とシャフト２２の外方周囲に先端部がスパイク形状の複数の突起体３１が設けられ、そして先端部がスパイク形状の複数の長さ調整子２５が前記シャフト２２の側面側にねじ螺合されて側方に向けて設けられ、第２の部材６に、突起体３１に対向して先端部がスパイク形状の複数の他の突起体４１が設けられ、光ピックアップ４が固定されるメカベース２に孔部２１が設けられ、孔部２１の内壁３６に長さ調整子２５が接触するようにして、かつ突起体４１の先端部がメカベースの表面に接触するようにして、第1の部材５のシャフト２２が孔部方向に、そして他の突起体４１の先端部がメカベース２の他面に接触するようにして、第２の部材６が孔部２１を介して第１の部材５に対向して設けられて第１の部材５のシャフト２２に接続される構造が構成される。
【００３２】
そして、第２の部材６は、シャフト２２に対向して小孔部４４が形成され、シャフト２２に雌ネジ２３が形成され、第２の部材６の外方から小孔部４４を介して雌ネジ２３に向けて雄ネジ４６を螺合することによって第２の部材６を第１の部材５のシャフトに接続する構造が構成される。
【００３３】
図５は、本実施例の光ディスク再生装置１によって光ディスクを再生した状態を示す図である。
【００３４】
光ディスク７が、図示しない光ディスク搬送部によって光ディスク再生装置１の内部に搬送されると、ターンテーブル１１とクランパ１２によって光ディスク７の中心孔を挟持する。ターンテーブル１１は、モータ１０の回転によって光ディスク７を回転させる。光ピックアップ４は、駆動部３によって光ディスク７の径方向へスライドし、光ディスク７に記録されているデータを読み取る。光ピックアップ４によって読み取られたデータは図示しないデータ再生回路によって再生される。
【００３５】
このとき、モータ１０がターンテーブル１１を回転させることによって振動を発生させるが、モータ１０を固定した第１の部材５及び第２の部材６は、突起体３１のスパイラル形状の先端，突起体４１のスパイラル形状の先端及び突起２８のスパイラル形状の先端のみがメカベース２に当接していることにより、モータ１０から発生した振動がメカベース２へ伝播するのを防止する。また、モータ１０は、ターンテーブル１１を回転させることによって、特に水平方向の振動を発生させるが、長さ調整子２５の突起２８の先端が孔２１の内壁３６に当接した状態となり、第１の部材５及び第２の部材６が水平方向にズレてしまうのを防止する。このことから、メカベース２に固定された第１の部材５及び第２の部材６の取付け位置がモータ１０の振動により、水平方向へズレてしまうのを防止することができ、光ピックアップ４とモータ１０の位置を常に一定にすることができる。
【００３６】
メカベース２の製作時の寸法誤差などにより、光ピックアップ４とモータ１０との相対位置にズレが生じている場合は、雌ネジ２４にねじ込んだ状態の３つの円柱部７をそれぞれ回転させ、メカベース２に固定した第１の部材５及び第２の部材６の水平位置を変化させることが可能となる。このことによって、光ピックアップ４とモータ１０との相対位置がズレた状態の場合、モータ１０の固定位置を正確な位置へ調整させることができる。
【００３７】
以上の構成により、本実施例の光ディスク再生装置１は、ターンテーブル１１を回転させるモータ１０から発生する振動が光ピックアップ４に伝播することを防止することができる。
【図面の簡単な説明】
【００３８】
【図１】本実施例である光ディスク再生装置の主要部についての組み立て方を示す斜視図。
【図２】本実施例の光ディスク再生装置の構成を示し、モータを固定した状態で第１の部材及び第２の部材をメカベースに固定する様子を示す図。
【図３】図２のＡ部詳細図。
【図４】メカベースに第１の部材及び第２の部材を固定した状態を示す図。
【図５】本実施例の光ディスク再生装置によって光ディスクを再生した状態を示す図。
【符号の説明】
【００３９】
１…光ディスク再生装置、２…メカベース、３…駆動部、４…光ピックアップ、５…第１の部材、６…第２の部材、７…光ディスク、１０モータ、１１…ターンテーブル、２１…孔部、２２…シャフト、２３，２４…雌ネジ、２５…長さ調整子（突起体）、２７…ネジ部、２８…突起、３１，４１…突起体、３６…内壁、４４…小孔部、４５…圧縮バネ、４６…雄ネジ。
【図１】
2006048849.tif 000003
【図２】
2006048849.tif 000004
【図３】
2006048849.tif 000005
【図４】
2006048849.tif 000006
【図５】
2006048849.tif 000007